(57)【特許請求の範囲】
【請求項１】
適宜な幅を有するパネル材であって、該パネル材のそれぞれ両側部付近であって、しかも表裏両面付近に、それぞれ一対の通穴を穿設し、これら一対の通穴の下端部は、連通溝を穿設け、これらの両通穴と連通溝には、両端部にネジを設け、中央部でコ字状に折り曲げた被緊締ロッドを挿入し、これら被緊締ロッドの他端には、それぞれネジを有する所定の長さのナット等の締め具を設け、これら締め具は、被緊締ロッドに設けたネジと螺合して設け、パネル材を介して該被緊締ロッドを締め具で締め、該被緊締ロッドを緊締することにより、パネル材の反りを矯正することを特徴とする反り矯正装置付きパネル材。
【請求項２】
適宜な幅を有するパネル材であって、該パネル材のそれぞれ両側部付近であって、しかも表裏両面付近に、それぞれ一対の通穴を穿設し、これら一対の通穴の下端部は、連通溝を穿設け、これらの両通穴と連通溝には、両端部にネジを設け、それぞれ二本の被緊締ロッドを挿入し、これら被緊締ロッドを直接連結して挿入し、これら被緊締ロッドの他端には、それぞれネジを有する所定の長さのナット等の締め具を設け、これら締め具は、被緊締ロッドに設けたネジと螺合して設け、パネル材を介して該被緊締ロッドを締め具で締め、該被緊締ロッドを緊締することにより、パネル材の反りを矯正することを特徴とする反り矯正装置付きパネル材。
【請求項３】
適宜な幅を有するパネル材であって、該パネル材のそれぞれ両側部付近であって、しかも表裏両面付近に、それぞれ一対の通穴を穿設し、これら一対の通穴の下端部は、連通溝を穿設け、これらの両通穴と連通溝には、両端部にネジを設け、それぞれ二本の被緊締ロッドを挿入し、これら被緊締ロッドを、連結溝に隠蔽する，連結手段を介して連結して挿入し、これら被緊締ロッドの他端には、それぞれネジを有する所定の長さのナット等の締め具を設け、これら締め具は、被緊締ロッドに設けたネジと螺合して設け、パネル材を介して該被緊締ロッドを締め具で締め、該被緊締ロッドを緊締することにより、パネル材の反りを矯正することを特徴とする反り矯正装置付きパネル材。
【請求項４】
二本の被緊締ロッドの連結手段が、２穴ワッシャーを挿通して先端部をカシメて止めるものであることを特徴とする特許請求の範囲第３項記載の反り矯正装置付きパネル材。
【請求項５】
二本の被緊締ロッドの連結手段が、２穴ワッシャーを挿通し、該２穴ワッシャーを介してプレートを溶接するものであることを特徴とする特許請求の範囲第３項記載の反り矯正装置付きパネル材。
【請求項６】
二本の被緊締ロッドの連結手段が、２穴ワッシャーを挿通し、該２穴ワッシャーを介してナットで締付けるものであることを特徴とする特許請求の範囲第３項記載の反り矯正装置付きパネル材。
【請求項７】
締め具が、一端に六角状のフランジを、他端に円状のフランジを有する筒状のナットであることを特徴とする特許請求の範囲第１項または第２項または第３項記載の反り矯正装置付きパネル材。
【発明の詳細な説明】
【０００１】
【産業上の利用分野】
本発明は、反り矯正装置付きパネル材に関するものである。
【０００２】
【従来の技術】
従来、ドアやパネル等の材料としては、以前は無垢の木材が広く使用されていたが、最近では同じ同じ木質材料でも寸法安定性が良好で大量生産に適した合板、ＭＤＦ、ＬＶＬ、集成材その他の工業的に生産される木質材料を使用したフラッシュと呼ばれる中空構造が一般化している。
【０００３】
この構造は、無垢やＬＶＬ等の角材で枠を形成し、その両面に合板やＭＤＦ等の面材料を張り合わせた中空構造であり、軽量、安価、制作容易、寸法安定性に優れている等の特徴を有しているので、ドアや各種パネルの基材として広く使用されている。
【０００４】
しかし、これらの工業的に生産される木質材料を使用したとしても、それぞれ程度の差こそあれ、木材の持つ吸放湿性に起因して膨張・収縮が発生する。特に冬季においては、暖房された室内と暖房されていない廊下、玄関といった極度に温度の異なる条件下では、水分の移動によって反りが発生し易くなることが知られている。
【０００５】
この反りは、一種の季節的な現象であり、冬季以外では殆ど回復して使用には支障が無くなる場合が多い。しかし、反りの発生によって、ドアでは、閉鎖時に、ドアとドア枠との間のクリアランスが変化して、密着不十分となって、隙間風、冷暖房効果の低下、遮光性の低下、騒音や汚染外気の侵入等の問題が生じる。
【０００６】
また、特に、引き戸（洋室と和室との境界に使用される場合が多い）では、枠材との間のクリアランスが、美観上の理由から最大でも５ミリメートル程度しか設定できないので、反りがこのクリアランス以上に増大すると、上記の問題以外に、開閉時に引き戸が枠材と接触して異音、塗装の傷等が発生し、更に進行すると枠材は開閉不能といった由々しき事態を生ずることさえある。（因みに、ドアでは開閉不能といった問題までは至らない。）
【０００７】
そのため、以前より、構造を工夫して剛性を向上させた多くの反り発生防止方法が考案され実施されてきた。
▲１▼  先ず、構造を強化した方法は、特開平５−２１４８７８号、実開平２−６８１１７８号、特開平５−１４９１号、特開平５−１４９２号、そして、実開昭６０−２３５７２号が存在するが、鉄、アルミニウム、プラスチック等の異種材料で枠材を形成するか、或いは補強材として組み込む方法であり、これらの材料によって、曲げ剛性がアップし、反りの力を押さえ込もうとするものである。
【０００８】
しかし、一旦発生した反りの矯正は、極めて困難であり、即ち，剛性や強度アップによる発生防止に主眼を置いているので、一旦発生してしうと、逆に、この剛性や強度が災いして矯正は極めて困難となる。
【０００９】
また、製造に手間が掛かる。即ち，多くが金属板、プラスチック、金具等を組み合わせて接着一体化して使用するために、製造に手間が掛かる。
そして、リサイクルが困難である。即ち，廃棄時にはリサイクルを考えるべきであるが、異種材料が一体化さているので、その前提となる素材別の分離作業は極めて困難であり、実際にはリサイクル不可能な単なる産業廃棄物となってしまう場合が多い。
【００１０】
さらに、後付け不可である。即ち，反りが発生したからといって、施工後のドアに取り付けることはできないので、最初から取り付ける必要がある。
また、重量が増加する。即ち，一般に強度の大きな補強材は、鉄・アルミニウム等の金属板だが、これらはいずれも木材より重量が大きく、これらを使用することでドア全体の重量が増大する。
【００１１】
▲２▼  また、従来技術として、矯正金具を使用した方法では、  実開昭６０−３２００３号、特開２０００−１１０４４９号、実公平３−２９４４号、特開昭５８−１１６１１８号、特開昭６０−２６７７１号、そして、特開平９−３０３０５５号が存在するが、金具を使用して、一旦発生してしまった反りをネジの使用等によって矯正する方法も幾つか考案され、実施されてきたが、次のような問題があった。
【００１２】
即ち、後付けが不可能かあるいは困難であった。反りが発生した際、施工後のドアに取り付けることはできない。若し、後から取り付けるとすれば、ドアの表面から露出してしまうため、収納扉（片面が非化粧面）程度にしか使用できない
ものである。
【００１３】
また、製造に手間が掛かる。即ち，予め組み込んで置く場合は、製造工程が増えて，複雑になる。さらに、無駄となる場合がある。即ち，予め組み込んで置く必要があり、反りが発生しない場合には無駄となってしまう。
【００１４】
さらに、リサイクルが困難である。即ち，廃棄時にはリサイクルを考えるべきであるが、一体化してドア製造時に組み込んでしまうため、その前提となる素材別の分離作業は極めて困難であり、実際にはリサイクル不可能な単なる産業廃棄物となってしまう場合が多い。
【００１５】
そして、調整困難となる。即ち，１〜２個の調整金具を使用した例もあるが、「引っ張り」と「突っ張り」の両機能を持たせたものもあり、また、設置位置が中央又は表裏面のいずれかに偏っているために調整に無理がある。
【００１６】
さらに、構造が複雑となる。即ち，多くの部材を組み合わせてあるので、複雑であり、高価である。また、Ｌ型その他の形状加工を行った部材の場合、強度が低下するのを防止するために、肉厚の大型とする必要があり、当然ながら金具の重量が増加するという欠点があった。
【００１７】
【発明が解決しようとする課題】
そこで、この発明は、上記の各欠点を除去するために、出願人は、特願２０００−２９０５４１号として出願しているが、その改良型として発明された，反り矯正装置を有するパネル材であって、従来品に比べて、装着が簡単で、安価であり、下部のナットが外れることがなく、しかも調整のし易い、反り矯正装置付きパネル材を開発し、かつ、提供するものである。
【００１８】
【課題を解決するための手段】
そこでこの発明は、適宜な幅を有するパネル材であって、該パネル材のそれぞれ両側部付近であって、しかも表裏両面付近に、それぞれ一対の通穴を穿設し、これら一対の通穴の下端部は、連通溝を穿設け、これらの両通穴と連通溝には、両端部にネジを設け、中央部でコ字状に折り曲げた被緊締ロッドを挿入するか、または、それぞれ二本の被緊締ロッドを挿入し、これら被緊締ロッドを直接、あるいは連結溝に隠蔽する，連結手段を介して連結して挿入し、これら被緊締ロッドの他端には、それぞれネジを有する所定の長さのナット等の締め具を設け、これら締め具は、被緊締ロッドに設けたネジと螺合して設け、パネル材を介して該被緊締ロッドを締め具で締め、該被緊締ロッドを緊締することにより、パネル材の反りを矯正することを特徴とする反り矯正装置付きパネル材である。
【００１９】
【発明の実施の形態】
次に、この発明の一実施例を図面に従って説明すると、適宜な幅を有するパネル材（１）であって、該パネル材のそれぞれ両側部付近であって、しかも表裏両面付近に、それぞれ一対の通穴（２）（２）を穿設し、これら一対の通穴（２）（２）の下端部は、連通溝（２ａ）を穿設け、これらの両通穴（２）（２）と連通溝（２ａ）には、両端部にネジを設け、中央部でコ字状に折り曲げた被緊締ロッド（３）を挿入するか、または、それぞれ二本の被緊締ロッド（３）（３）を挿入し、これら被緊締ロッド（３）を直接挿入し、あるいは連結溝（２ａ）に隠蔽する，連結手段（４）を介して連結して挿入し、これら被緊締ロッドの他端には、それぞれネジ（５）を有する所定の長さのナット等の締め具（６）を設け、これら締め具は、被緊締ロッドに設けたネジと螺合して設け、パネル材（１）を介して該被緊締ロッド（３）を締め具（６）で締め、該被緊締ロッド（３）を緊締することにより、パネル材の反りを矯正することを特徴とする反り矯正装置付きパネル材である。
【００２０】
さらに、二本の被緊締ロッド（３）（３）の連結手段（４）の具体的な一例を示すと、図４の（ａ）に示すように、コ字状に曲げた被緊締ロッド（３）（３）に２穴ワッシャー（４ａ）を挿通して、パネル材（１）に係止するものや、図４の（ｂ）に示すように、プレート（４ｂ）に、被緊締ロッド（３）（３）の先端部を、それぞれ溶接あるいはカシメたものであるか、さらには、図４の（ｃ）に示すように、２穴ワッシャー（４ａ）を介してナット（７）で締めつけ固定する等の構造のものである。
【００２１】
そして、締め具（６）は、具体的な一例を示すと、図５（ａ）に示すように所定の長さを有する六角ナット（６ａ）か、あるいは図５（ｂ）に示すように、一端に六角状のフランジを、他端に円状のフランジを有する所定の長さを有する筒状ナット（６ｂ）であり、これらに、被緊締ロッド（３）（３）のネジが螺合されるものである。しかし、これらの構造に限定されるものではなく、他の構造のものであってもよいことはもちろんである。
【００２２】
【発明の効果】
この発明は、以上の構成よりなるものであり、この発明によれば、季節によって発生する反りに対して、あらかじめ装着された，一対の被緊締ロッド（３）（３）のいずれか一方の反りの発生した側と反対側の被緊締ロッド（３）の先端部で締め具（６）を回転させることにより、ネジを締めることにより何度でも調整が可能であり、被緊締ロッド（３）の一方に固定手段、他方に締め具（６）を装着するものであり、その構造は簡単であり、安価であり、止め具は所定の長さを有するため、調製がし易く、廃棄時にはこれらをパネル材より簡単に抜き取ることにより、パネル材はリサイクルが容易となる極めて有益なる効果を奏するものである。
【図面の簡単な説明】
【図１】この発明の一実施例を示す正面図である。
【図２】この発明の一実施例を示す底面図である。
【図３】この発明の一実施例を示す拡大断面図である。
【図４】（ａ）（ｂ）（ｃ）は、それぞれこの発明に使用する被緊締ロッドの連結手段の一実施例を示す正面図である。
【図５】（ａ）（ｂ）は、それぞれこの発明の使用する締め具の一実施例使用状態を示す斜視図である。
【図６】この発明の使用状態を示す説明図である。
【符号の説明】
１  パネル材
２  通穴
２ａ  連通溝
３  中央部でコ字状に折り曲げた被緊締ロッド
４  連結手段
４ａ  ２穴ワッシャー
４ｂ  プレート
５  ネジ
６  締め具
６ａ  六角ナット
６ｂ  筒状ナット
７  ナット
Ｘ  反りが発生した面
Ｙ  反対側の面
【図１】
0003541277.tif 000002
【図２】
0003541277.tif 000003
【図３】
0003541277.tif 000004
【図４】
0003541277.tif 000005
【図５】
0003541277.tif 000006
【図６】
0003541277.tif 000007